【手続補正書】
【提出日】平成19年4月25日(2007.4.25)
【手続補正１】
【補正対象書類名】明細書
【補正対象項目名】特許請求の範囲
【補正方法】変更
【補正の内容】
【特許請求の範囲】
【請求項１】  製品のプロセス製造ユニットを制御するための方法であって、特定タイプの不安定事象がプロセスを周期的に不安定にし、ユニット番号１からユニット番号ｎまでの前記製品のユニット数のターゲットパラメータから偏差するようになっており、
(１)特定タイプの不安定事象が発生すると、前記特定のタイプの不安定事象の過去の発生における番号が振られた製品のユニットのそれぞれの過去の偏差量に対応する偏差を、前記製品のｎユニットのそれぞれと組合せ、
(２)前記製品のｎユニットの選択されたｎ番目に、前記製品のｎ番目のユニットに間する各組み合わされた過去の偏差量から得られた修正係数を付与し、
これにより、前記不安定事象の発生時に、製品のｎユニットのそれぞれに予防調整を行うようになっている方法。
【請求項２】  前記修正係数を前記製品のｎユニットのそれぞれに付与することを特徴とする請求項１に記載の方法。
【請求項３】  機械方向位置合わせに関し位置合わせ修正係数として前記修正係数を付与する段階を含むことを特徴とする請求項１に記載の方法。
【請求項４】  機械横方向位置合わせに関し位置合わせ修正係数として前記修正係数を付与する段階を含むことを特徴とする請求項１に記載の方法。
【請求項５】  計算コントローラを用いて、選択されたユニットに関する修正係数を算出し、前記不安的事象の少なくとも２つの先の発生から過去の作動データを用い、未来の不安定事象の発生に関し前記修正係数の組合せを用いて修正プロフィールをそれぞれ展開する段階を含むことを特徴とする請求項１に記載の方法。
【請求項６】  計算コントローラを用いて、ユニット番号に関し均一に離間したユニットに関する修正係数を計算し、前記不安的事象の少なくとも２つの先の発生から過去の作動データを用い、未来の不安定事象の発生に関し前記修正係数の組合せを用いて修正プロフィールをそれぞれ展開する段階を含むことを特徴とする請求項１に記載の方法。
【請求項７】  計算コントローラを用いて、各ユニットについて修正係数を計算し、前記不安的事象の少なくとも２つの先の発生から過去の作動データを用い、未来の不安定事象の発生に関し前記修正係数の組合せを用いて修正プロフィールをそれぞれ展開する段階を含むことを特徴とする請求項１に記載の方法。
【請求項８】  位置合わせ修正係数が付与される選択されたユニットに関する別個の修正係数を算出する段階を含み、前記先の不安定事象における同一に番号が付されたｎ番目のユニットから修正係数の各々を得、これにより各修正係数が、先の不安定事象において、各このような修正係数は、前記不安定事象をすぎた製品の前記ｎ番目のユニットから得られたデータに基づいていることを特徴とする請求項５に記載の方法。
【請求項９】  計算コンとローラを用いて、ユニット番号に関し均一に離間したユニットに関する修正係数を算出し、前記不安定事象の少なくとも２つの先の発生から過去の作動データを用い、未来の不安定事象の発生に基づいて使用するための前記修正係数の組合せを用いて修正プロフィールをそれぞれ展開する段階を含むことを特徴とする請求項５に記載の方法。
【請求項１０】各ユニットに関する修正係数を算出し、前記不安定事象の少なくとも２つの先の発生から過去の作動データを用い、未来の不安定事象の発生に基づいて使用するための前記修正係数の組合せを用いて修正プロフィールをそれぞれ展開する段階を含むことを特徴とする請求項５に記載の方法。
【請求項１１】人体排出物を吸収するのに使用する日常品に関する吸収性物品の別個の単位を作り出す製造プロセスに付与されることを特徴とする請求項１に記載の方法。
【請求項１２】前記不安的事象の連続発生注に製品のｎユニットのそれぞれから偏差情報を収集し、このように収集された前記偏差情報に基づいて、周期的に前記修正プロフィールに対し調整を行い、前記不安定事象の将来の発生において製品のｎユニットのそれぞれに調整された修正プロフィールを付与する段階を含むことを特徴とする請求項５に記載の方法。
【請求項１３】前記製品の連続したｎユニットのそれぞれに関する位置合わせデータを収集及び記録し、前記不安定事象に関しｎユニットまで、製品の複数ユニットに関する新規な位置合わせ偏差データを得、製品のｎユニットまでに関するサンプルを得る段階を含んでおり、
前記製品のｎユニットのそれぞれに関し、計算コントローラを用いて、製品の前記各ｎ番目のユニットに関し得られた前記サンプルに基づいて各位置合わせ偏差をリアルタイムで自動的に計算し、前記各不安定事象に関連した製品の前記各位ユニットをあらわす位置合わせ偏差プロフィールを得、
前記偏差プロフィールの２０までを組み合わせ、及び修正し、この種の不安定事象に関する各複合修正プロフィール更新エレメントを得、
前記修正プロフィール更新エレメントを得る際に、該得られた修正プロフィール更新エレメントを前記位置合わせ修正プロフィールに付与し、更新された位置合わせ修正プロフィールを得、
前記更新された位置合わせ修正プロフィールを前記各種の不安定事象の連続発生に付与する、
段階を含むことを特徴とする請求項５に記載の方法。
【請求項１４】前記得られた修正プロフィール更新エレメントを、該修正プロフィールエレメントデータが得られた前記過去の不安定事象のｎ＋２０番目のユニットより前の前記修正プロフィールに付与し始める段階を含むことを特徴とする請求項１３に記載の方法。
【請求項１５】前記製品の連続したｎユニットに関するそれぞれのデータを収集し、記録し、前記不安定事象に関するｎユニットまでの複数の製品ユニットに関する新規な偏差データを得、これにより製品のｎユニットいいまでのサンプルを得る段階を含み、
製品の前記ｎユニットのそれぞれに関し、前記計算コントローラを用いて、各前記製品のｎ番目のユニットに関し得られた前記サンプルに基づいて各偏差を自動的にリアルタイムで算出し、前記各不安定事象に関連した前記各製品ユニットをあらわす偏差プロフィールを得、
前記偏差プロフィールの１０までを組み合わせ、及び修正し、この種の不安定事象に関する複合修正プロフィール更新エレメントを得、
前記修正プロフィール更新エレメントを得る際に、このように得られた修正プロフィール更新エレメントを前記修正プロフィールに付与し、更新された修正プロフィールを得、
前記更新修正プロフィールを前記各種の不安定事象の連続発生に付与する、
段階を含むことを特徴とする請求項５に記載の方法。
【請求項１６】得られた修正プロフィール更新エレメントを、該修正プロフィールエレメントデータが得られた前記過去の不安定事象のｎ＋１０番目のユニットより前の前記修正プロフィールに付与し始める段階を含むことを特徴とする請求項１５に記載の方法。
【請求項１７】前記製品の連続したｎユニットに関するそれぞれのデータを収集し、記録し、前記不安定事象に関するｎユニットまでの複数の製品ユニットに関する新規な偏差データを得、これにより製品のｎユニットいいまでのサンプルを得る段階を含み、
製品の前記ｎユニットのそれぞれに関し、前記計算コントローラを用いて、各前記製品のｎ番目のユニットに関し得られた前記サンプルに基づいて各位置合わせ偏差をアルタイムで自動的に算出し、各不安定事象に関連した各製品ユニットをあらわす偏差プロフィールを得、
前記偏差プロフィールを組み合わせ、及び修正し、この種の不安定事象に関する複合修正プロフィール更新エレメントを得、
前記修正プロフィール更新エレメントを得る際に、このように得られた修正プロフィール更新エレメントを、前記修正プロフィールエレメントデータが得られた前記最後の不安定事象の２ｎ番目のユニットよりまえの、前記位置合わせプロフィールに付与し、このようにして更新された位置合わせ修正プロフィールを得、
前記更新された位置合わせ修正プロフィールを前記各種の不安定事象の連続発生に付与する、
段階を含むことを特徴とする請求項b１３に記載の方法。
【請求項１８】日常品の吸収性物品製品の別個のユニットを作り出すプロセスを制御する方法であって、特定の不安定事象が前記プロセスを周期的に不安定的にし、１からｎユニット番号の前記製品のユニットの番号におけるターゲットパラメータから偏差を得るようになっている方法であって、
前記プロセスを作動させ、１以上であるX倍に、不安定事象の発生の際に前記プロセスを作動させつづけ、製品の前記連続ｎユニットのそれぞれに関するデータを収集及び記録し、不安定事象のXのそれぞれに関し製品のｎユニットまで製品の複数ユニットに関する製品偏差情報を得、製品のｎユニットのそれぞれに関するｘサンプルまでを得、
製品の前記ｎユニットのそれぞれに関し、前記ｘ不安定事象から前記各ｎ番目のユニットに関し得られた前記サンプルに基づいて各製品偏差を計算し、前記ｘj不安的事象から得られた、ターゲットパラメータから製品ユニットを表す製品偏差プロフィールを得、
前記偏差プロフィールを修正し、この種の不安定事象に関する製品修正プロフィールエレメントを得、前記修正プロフィールは、製品偏差表示が得られた製品のｎユニットのそれぞれに関する修正を含んでおり、
前記得られた製品修正プロフィールを、前記サンプル収集に使用された既存の製品修正プロフィールに前記製品修正プロフィールを加え、
前記更新された製品修正プロフィールを前記各種の不安定事象の連続発生に付与する、
段階からなる方法。
【請求項１９】別個の製品セグメントにおいて製品を作り出すプロセスを制御する方法であって、
前記プロセスを作動させ、不安定事象の発生の際に前記プロセスを作動させつづけ、製品の前記連続ｎユニットのそれぞれに関するデータを収集及び記録し、不安定事象の製品のｎユニットまで製品の複数ユニットに関するプロセス性能偏差情報を得、製品のｎユニットのそれぞれに関する性能データのサンプルまでを得、
（２）製品の前記ｎユニットのそれぞれに関し、前記製品のユニットに関し得られた前記サンプルに基づいて性能偏差を計算し、前記製品のユニットを表すプロセス性能偏差プロフィールを得、
（３）前記偏差プロフィールを修正し、この種の不安定事象に関するプロセス性能修正プロフィールエレメントを得、プロセス性能偏差表示が得られた製品の前記ｎユニットのそれぞれに関し修正を含むようになっており、
前記得られた製品修正プロフィールを、前記サンプル収集に使用された既存の製品修正プロフィールに前記製品修正プロフィールを加え、更新された性能修正プロフィールを得るようにし、
前記更新された性能修正プロフィールを各種の不安定事象の連続発生に付与する、
段階からなる方法。
【請求項２０】製品のセグメントを作り出すプロセスを制御する装置であって、特定のタイプの不安定事象がプロセスを周期的に不安定にし、セグメント番号１から番号ｎまでの製品セグメントにおいてターゲットパラメータからの偏差となるようになり、
前記製品を製造する複数の機械からなる製造ラインと、
特定のタイプの不安定事象の発生時に、製品の前記ｎセグメントのそれぞれと、前記特定の種類の不安定事象の過去の発生における製品の番号が付されたユニットに関し過去の偏差に相当する偏差量を関連させ、前記製品のｎユニットのｎ番目に、製品のｎ番目のユニットに関する各関連した過去の偏差量から得られた修正係数を付与する計算コントローラ効果と、
前記プロセスまたは前記プロセスによって作られる製品に関し１か２以上のパラメータを検出する１か、２以上の検出装置と、
１か、２以上の先に不安定事象で検出された偏差量から展開した前記修正係数に応答して前記機械に対する調整に影響を及ぼし、不安定事象の発生の際に、製品のｎユニットのそれぞれへの予防調整調行うようにする１か、２以上の作動装置と、
からなる装置。